(57)【要約】【課題】ネットワーク機器の試験時間を短縮してネットワーク機器のコストを低減できるネットワーク機器試験システム及び方法を提供する。【解決手段】試験対象のネットワーク機器が接続される装置は、該ネットワーク機器の状態を、そのアドレスの値から判別し、判別したネットワーク機器の状態を示す接続情報をネットワーク機器の試験を制御するサーバ装置へ通知する。サーバ装置は、接続情報に基づいて、ネットワーク機器の状態に応じた試験のための指示を該ネットワーク機器へ送信する。【選択図】図３
2010010751.tif 000002
【特許請求の範囲】
【請求項１】
試験対象のネットワーク機器の状態を、そのアドレスの値から判別し、判別したネットワーク機器の状態を示す接続情報を送信する状態通知手段と、
前記状態通知手段から送信される接続情報に基づき、前記ネットワーク機器へ該ネットワーク機器の状態に応じた試験のための指示を送信する試験設定サーバと、
を有するネットワーク機器試験システム。
【請求項２】
前記状態通知手段は、
前記試験対象のネットワーク機器が送受信するデータをスイッチングするレイヤー２スイッチである請求項１記載のネットワーク機器試験システム。
【請求項３】
前記状態通知手段は、
前記試験対象のネットワーク機器が送受信するデータを中継する無線基地局である請求項１記載のネットワーク機器試験システム。
【請求項４】
前記試験設定サーバは、
前記接続情報により前記ネットワーク機器が初期状態にあることを検出すると、該ネットワーク機器に固有のアドレスを割り当て、該ネットワーク機器に対して割り当てたアドレスの値を通知すると共にアドレスの変更を指示する固有アドレス変更指示を送信し、前記ネットワーク機器にアドレスの値を更新させる請求項１から３のいずれか１項記載のネットワーク機器試験システム。
【請求項５】
前記試験設定サーバは、
前記接続情報により前記ネットワーク機器が固有のアドレスを持つことを検出すると、該ネットワーク機器へ所要の試験の実施準備を指示するための試験準備指示を送信する請求項１から３のいずれか１項記載のネットワーク機器試験システム。
【請求項６】
前記試験設定サーバは、
前記ネットワーク機器に対して複数段階の試験を実施する場合、該ネットワーク機器の試験結果である試験結果報告を受信すると、該ネットワーク機器へ次の段階の試験に対応するアドレスの値を通知すると共にアドレスの更新を指示する固有アドレス変更指示を送信する請求項５記載のネットワーク機器試験システム。
【請求項７】
試験対象のネットワーク機器が通信可能に接続される装置が、該ネットワーク機器の状態を、そのアドレスの値から判別し、
判別したネットワーク機器の状態を示す接続情報を前記ネットワーク機器の試験を制御するサーバ装置へ通知し、
前記サーバ装置が、前記接続情報に基づき、前記ネットワーク機器へ、該ネットワーク機器の状態に応じた試験のための指示を送信するネットワーク機器試験方法。
【請求項８】
前記サーバ装置が、前記接続情報により前記ネットワーク機器が初期状態にあることを検出すると、該ネットワーク機器に固有のアドレスを割り当て、該ネットワーク機器に対して割り当てたアドレスの値を通知すると共にアドレスの変更を指示する固有アドレス変更指示を送信し、前記ネットワーク機器にアドレスの値を更新させる請求項７記載のネットワーク機器試験方法。
【請求項９】
前記サーバ装置が、前記接続情報により前記ネットワーク機器が固有のアドレスを持つことを検出すると、該ネットワーク機器へ所要の試験の実施準備を指示するための試験準備指示を送信する請求項７記載のネットワーク機器試験方法。
【請求項１０】
前記ネットワーク機器に対して複数段階の試験を実施する場合、前記サーバ装置が、該ネットワーク機器の試験結果である試験結果報告を受信すると、該ネットワーク機器へ次の段階の試験に対応するアドレスの値を通知すると共にアドレスの更新を指示する固有アドレス変更指示を送信する請求項９記載のネットワーク機器試験方法。
【発明の詳細な説明】
【技術分野】
【０００１】
本発明は各種のネットワーク機器を試験するためのネットワーク機器試験システムに関する。
【背景技術】
【０００２】
図４は背景技術のネットワーク機器試験システムの構成を示すブロック図である。
【０００３】
図４に示すように、背景技術のネットワーク機器試験システムは、Ｌ２ＳＷ（レイヤー２スイッチ（Layer 2 switch））１１、上位サーバ１２、管理サーバ１３及び試験設定サーバ１４を備え、Ｌ２ＳＷ１１に試験対象のネットワーク機器（ここでは、無線基地局１５1〜１５n及び端末局１６1〜１６m（ｎ，ｍは正の正数））が接続される構成である。上位サーバ１２、管理サーバ１３、試験設定サーバ１４及び無線基地局１５1〜１５nは、例えばイーサネット（登録商標）規格に準拠するインタフェースによってＬ２ＳＷ１と通信可能に接続される。無線基地局１５1〜１５nと端末局１６1〜１６mとは無線基地局５1〜５nと端末局６1〜６mとは周知の無線装置により通信可能に接続される。
【０００４】
Ｌ２ＳＷ１１は、上位サーバ１２、管理サーバ１３または試験設定サーバ１４と、試験対象である無線基地局１５1〜１５nや端末局１６1〜１６mとの間で送受信されるデータのスイッチングを行う。
【０００５】
上位サーバ１２は、試験対象のネットワーク機器（無線基地局１５1〜１５n、端末局１６1〜１６m）との間で試験用のデータを送受信する、ネットワーク機器の試験で用いるサーバ装置である。
【０００６】
管理サーバ１３は、試験対象のネットワーク機器の制御や管理を行うためのサーバ装置である。
【０００７】
試験設定サーバ１４は、ネットワーク機器に対して実施する試験を制御すると共に、該ネットワーク機器毎の試験結果の履歴等を管理するサーバ装置である。
【０００８】
図４に示すネットワーク機器システムでは、最初に試験対象の各ネットワーク機器に対してそれぞれ固有のＭＡＣ（Media Access Control）アドレスを付与し、その後、試験設定サーバ１４の指示にしたがって各種の試験を実施する。
【０００９】
試験対象のネットワーク機器に固有のＭＡＣアドレスを自動で付与する手法は、例えば特許文献１に記載されている。また、ネットワーク機器に各種の機器データ（ＭＡＣアドレス、ＩＰアドレス、ソフトウェアの版数等）を自動で設定する手法は、例えば特許文献２に記載されている。
【特許文献１】特開２００６−２４６２２３号公報
【特許文献２】特開２００５−１７４１９５号公報
【発明の開示】
【発明が解決しようとする課題】
【００１０】
近年は、コンピュータ装置や携帯電話機だけでなく、各種の家電製品等にも無線装置が組み込まれてネットワークが構築されるようになっている。そのため、このような無線装置を含むネットワーク機器のコストの低減がより強く望まれている。
【００１１】
したがって、ネットワーク機器の製造後に実施する各種の試験も、オペレータの介在をできるだけ少なくして試験時間を短縮するために、自動で実施できることが望ましい。上述した特許文献１や特許文献２では、各ネットワーク機器に固有のＭＡＣアドレスやその他の機器データを自動で設定する手法を示しているが、その後の試験の自動化については示していない。
【００１２】
本発明は上記したような従来の技術が有する問題点を解決するためになされたものであり、ネットワーク機器の試験時間を短縮してネットワーク機器のコストを低減できるネットワーク機器試験システム及び方法を提供することを目的とする。
【課題を解決するための手段】
【００１３】
上記目的を達成するため本発明のネットワーク機器試験システムは、試験対象のネットワーク機器の状態を、そのアドレスの値から判別し、判別したネットワーク機器の状態を示す接続情報を送信する状態通知手段と、
前記状態通知手段から送信される接続情報に基づき、前記ネットワーク機器へ該ネットワーク機器の状態に応じた試験のための指示を送信する試験設定サーバと、
を有する。
【００１４】
一方、本発明のネットワーク機器試験方法は、試験対象のネットワーク機器が通信可能に接続される装置が、該ネットワーク機器の状態を、そのアドレスの値から判別し、
判別したネットワーク機器の状態を示す接続情報を前記ネットワーク機器の試験を制御するサーバ装置へ通知し、
前記サーバ装置が、前記接続情報に基づき、前記ネットワーク機器へ、該ネットワーク機器の状態に応じた試験のための指示を送信する方法である。
【発明の効果】
【００１５】
本発明によれば、ネットワーク機器の試験の開始や終了を自動的に実施できるため、ネットワーク機器の試験時間が短縮してネットワーク機器のコストを低減できる。
【発明を実施するための最良の形態】
【００１６】
次に本発明について図面を用いて説明する。
【００１７】
図１は本発明のネットワーク機器試験システムの一構成例を示すブロック図であり、図２は本発明のネットワーク機器試験システムの一変形例を示すブロック図である。
【００１８】
本発明のネットワーク機器試験システムでは、試験対象のネットワーク機器に、該ネットワーク機器の状態、例えば固有のＭＡＣアドレスを持たない初期状態に対応するＭＡＣアドレスを付与しておく。そして、試験時に該ネットワーク機器が接続される装置（状態通知手段）は、試験対象のネットワーク機器のＭＡＣアドレスから該ネットワーク機器の状態を判別し、その状態を示す情報を、試験を管理する試験設定サーバへ通知する。試験設定サーバは、状態通知手段から送信される接続情報に基づいてネットワーク機器の状態に応じた試験のための指示を該ネットワーク機器へ送信する。
【００１９】
図１に示すように、本発明のネットワーク機器試験システムは、拡張Ｌ２ＳＷ１、上位サーバ２、管理サーバ３及び試験設定サーバ４を備え、拡張Ｌ２ＳＷ１に試験対象のネットワーク機器（図１に示す例では、無線基地局５1〜５n及び端末局６1〜６m（ｎ，ｍは正の正数））が接続される構成である。上位サーバ２、管理サーバ３、試験設定サーバ４及び無線基地局は、例えばイーサネット（登録商標）規格に準拠するインタフェースによって拡張Ｌ２ＳＷ１と通信可能に接続される。無線基地局５1〜５nと端末局６1〜６mとは周知の無線装置により通信可能に接続される。
【００２０】
拡張Ｌ２ＳＷ１は、上位サーバ２、管理サーバ３または試験設定サーバ４と、試験対象であるネットワーク機器（無線基地局５1〜５nや端末局６1〜６m）との間で送受信されるデータのスイッチングを行うと共に、試験対象のネットワーク機器が接続されると、該ネットワーク機器の状態を、そのＭＡＣアドレスから判別し、判別したネットワーク機器の状態を試験設定サーバ４へ通知する。図１に示すネットワーク機器試験システムでは、拡張Ｌ２ＳＷ１が上記状態通知手段となる。ネットワーク機器の状態としては、例えば、固有のＭＡＣアドレスを持たない製造直後の初期状態、固有のＭＡＣアドレスが付与された試験準備状態、ネットワーク機器に対して複数段階で試験を実施する場合は試験の途中段階である試験途中状態がある。本実施形態では、初期状態のネットワーク機器に、予め決められたＭＡＣアドレス（以下、仮ＭＡＣアドレスと称す）が付与されているものとする。この仮ＭＡＣアドレスは、初期状態のネットワーク機器に対して、全て同一の値が付与されるものとする。但し、ネットワーク機器の種類が異なる場合は（例えば、無線基地局と端末局）、種類毎に異なる値の仮ＭＡＣアドレスを付与することが望ましい。
【００２１】
上位サーバ２は、試験対象のネットワーク機器（無線基地局５1〜５n、端末局６1〜６m）との間で試験用のデータを送受信する、ネットワーク機器の試験で用いるサーバ装置である。
【００２２】
管理サーバ３は、試験対象のネットワーク機器の制御や管理を行うためのサーバ装置である。
【００２３】
試験設定サーバ４は、試験対象のネットワーク機器にそれぞれ固有のＭＡＣアドレスを付与し、ネットワーク機器に対して実施する試験を制御すると共に、該ネットワーク機器毎の試験結果の履歴等を管理するサーバ装置である。
【００２４】
上位サーバ２、管理サーバ３、試験設定サーバ４は、周知のコンピュータ装置によって実現される。拡張Ｌ２ＳＷ１は、例えば周知のハブ、ルータ、コンピュータ装置等により実現可能であり、背景技術のＬ２ＳＷに本実施形態で追加する機能、すなわち試験対象のネットワーク機器の状態を試験設定サーバ４へ通知する機能は、論理回路等を組み合わせたＬＳＩ等で実現してもよく、上記ハブ、ルータ、コンピュータ装置等が備えるプロセッサに処理を実行させるためのプログラムを変更することで実現してもよい。
【００２５】
図１に示す試験対象の無線基地局５1〜５n及び端末局６1〜６mの構成及び動作は、当業者によく知られているため、ここではその説明を省略する。
【００２６】
図１に示すネットワーク機器試験システムは、無線免許を必要としないネットワーク機器、あるいは電波検査が終了したネットワーク機器の機能試験等を無線通信により実施する場合の構成例を示している。
【００２７】
一般に、ネットワーク機器を含む無線機器が無線により通信するためには無線免許を必要とする。しかしながら、製造直後の無線基地局５1〜５nや端末局６1〜６mの通信試験のために実験局免許を取得できる例は稀である。また、輸出用のネットワーク機器の場合、使用する無線周波数が、試験の実施国内では他の通信用途に割り当てられている場合もあるため、無線通信による試験を実施できない場合が多い。
【００２８】
図２に示すネットワーク機器試験システムは、試験対象である無線基地局５1〜５nと端末局６1〜６mとを有線で接続して試験を実施する構成例を示している。図２に示すネットワーク機器試験システムでは、無線基地局５1〜５nと端末局６1〜６mとをＲＦ結合器７で接続した例である。無線基地局５1〜５nに接続する端末局６1〜６mの数は、無線基地局５1〜５nの試験の内容に応じて設定される。なお、ＲＦ結合器７には、例えば電波の伝搬距離に応じた受信レベルの減衰やフェージングによる受信レベルの変動等を模擬するシミュレータを組み込んでもよい。図２に示すネットワーク機器試験システムでは、無線基地局５1〜５nと端末局６1〜６mとをＲＦ結合器７で接続することで、通信経路の状態が安定するため、無線基地局５1〜５nや端末局６1〜６mの試験データの再現性が向上する。
【００２９】
次に、無線基地局を試験する場合を例にして、本実施形態のネットワーク機器試験システムの動作について図３を用いて説明する。図３は、図１に示す複数の無線基地局５1〜５nを１台ずつ拡張Ｌ２ＳＷに接続して試験を実施する場合の動作例を示している。
【００３０】
図３は本発明のネットワーク機器試験システムの一動作例を示すシーケンス図である。
【００３１】
図３に示すように、例えば試験対象の無線基地局５1を拡張Ｌ２ＳＷ１に接続し、拡張Ｌ２ＳＷ１と該無線基地局５1間がリンクアップすると、拡張Ｌ２ＳＷ１は接続された無線基地局５1のＭＡＣアドレスを検出する。
【００３２】
拡張Ｌ２ＳＷ１は、検出したＭＡＣアドレスが、予め登録された、無線基地局の初期状態を示す値（上記仮アドレス）の場合、初期状態の無線基地局５1が接続されたことを示す接続情報を試験設定サーバ４に通知する。
【００３３】
試験設定サーバ４は、拡張Ｌ２ＳＷ１から通知された接続情報により初期状態の無線基地局５1が接続されたことを認識すると、予め確保していた、該無線基地局５1に固有のＭＡＣアドレスを割り当て、該無線基地局５1へ割り当てたＭＡＣアドレスの値を通知すると共に、ＭＡＣアドレスの変更を指示する固有アドレス変更指示を送信する。
【００３４】
無線基地局５1は、固有アドレス変更指示を受信すると、自装置のＭＡＣアドレスを試験設定サーバ４から通知された値で更新すると共に、拡張Ｌ２ＳＷ１とのリンクを一旦切断する。拡張Ｌ２ＳＷ１は、無線基地局５1とのリンク断を検出すると、それを示す接続断情報を試験設定サーバ４に通知する。
【００３５】
無線基地局５1は、ＭＡＣアドレスの更新が終了すると、拡張Ｌ２ＳＷ１と再びリンクアップする。拡張Ｌ２ＳＷ１は、無線基地局５1とリンクアップすると、接続された無線基地局５1のＭＡＣアドレスを検出する。この場合、拡張Ｌ２ＳＷ１は、固有のＭＡＣアドレスを持つ試験準備状態の無線基地局５1が接続されたことを示す接続情報を試験設定サーバ４へ通知する。
【００３６】
試験設定サーバ４は、拡張Ｌ２ＳＷ１から通知された接続情報により試験準備状態の無線基地局５1が接続されたことを検知すると、該無線基地局５1に対して試験の準備を指示するための試験準備指示を送信する。
【００３７】
試験準備指示を受け取った無線基地局５1は、試験のための動作（試験運用）可否を確認するための試験運用要求を管理サーバ３へ送信する。
【００３８】
管理サーバ３は、無線基地局５1から試験運用要求を受信すると、予め登録された試験運用を許可する無線基地局を示す情報と照合し、無線基地局５1が試験運用を許可する無線基地局であれば運用許可を返信する。この場合、無線基地局５1は試験を実施できる運用状態へ移行する。
【００３９】
無線基地局５1は、運用状態へ移行すると、試験で用いる各端末局６1〜６mに対して送受信タイミングを指定するためのスケジューリング情報等を通知する。端末局６1〜６mは、無線基地局５1から通知されたスケジューリング情報にしたがって、無線基地局５1が指定するタイミングで該無線基地局５1との通信に用いるリンクを確保するための接続要求を送信する。
【００４０】
無線基地局５1は、端末局６1〜６mから接続要求を受信すると、管理サーバ３から取得した端末情報に基づいて該接続要求を送信した端末局６1〜６mが接続を許可する端末局であるか否かを判定し、端末局６1〜６mが接続を許可する端末局であれば接続許可を返信し、それら端末局６1〜６mとの接続を完了する。なお、無線基地局５1は、試験運用許可と共に端末情報を管理サーバ３から取得してもよく、端末局からの接続要求を受けたときに管理サーバへ要求して端末情報を取得してもよい。
【００４１】
無線基地局５1は、端末局６1〜６mとリンクアップすると、通信試験を開始するための試験開始指示を上位サーバ２及び端末局６1〜６mへ送信し、上位サーバ２と端末局６1〜６m間で送受信される試験用のデータを中継しつつ、予め決められた所定の通信試験を実施する。
【００４２】
所定の通信試験が終了すると、上位サーバ２、無線基地局５1及び端末局６1〜６mは、その試験結果を示す試験結果報告を試験設定サーバ４へ送信する。試験設定サーバ４は、上位サーバ２、無線基地局５1及び端末局６1〜６mから夫々の試験結果報告を受け取ると、試験終了指示を無線基地局５1に送信する。なお、試験開始指示の送信先や試験結果報告の送信元は試験項目によって異なっており、ここでは、その一例を示している。
【００４３】
無線基地局５1は、試験設定サーバ４から試験終了指示を受信すると、通信試験を終了して拡張Ｌ２ＳＷ１とのリンクを切断する。拡張Ｌ２ＳＷ１は、無線基地局５1とのリンク断を検出すると、それを示す接続断情報を試験設定サーバ４に通知する。
【００４４】
試験設定サーバ４は、拡張Ｌ２ＳＷ１から接続断情報を受信すると、試験対象としていた無線基地局５1の試験が終了したことを認識する。
【００４５】
試験終了後に次に試験対象の無線基地局（例えば無線基地局５2）の試験を実施する場合、試験の操作者が拡張Ｌ２ＳＷ１へ無線基地局５2を接続することで、該無線基地局５2に対して上記と同様の処理が繰り返される。
【００４６】
以上は、複数の無線基地局５1〜５nを１台ずつ試験する場合を例にして本実施形態のネットワーク機器試験システムの動作を説明したが、拡張Ｌ２ＳＷ１に複数の通信ポートを備えていれば、複数の無線基地局５1〜５nを同時に試験することも可能である。その場合、拡張Ｌ２ＳＷ１は、仮ＭＡＣアドレスが付与された複数の無線基地局５1〜５nがポートに接続されると、いずれか１つのポートを開き、開けたポートに接続された無線基地局に対する固有のＭＡＣアドレスの付与が終了したら、次のポートを１つ開ける制御を順次繰り返せばよい。このようにすれば、拡張Ｌ２ＳＷ１に接続された複数の無線基地局５1〜５nにそれぞれ固有のＭＡＣアドレスを付与することができる。また、各無線基地局５1〜５nが、ＭＡＣアドレスを固有の値に変更した後に拡張Ｌ２ＳＷ１と再びリンクアップすれば、試験設定サーバ４は各無線基地局５1〜５nをＭＡＣアドレスで識別できるため、拡張Ｌ２ＳＷ１に接続された複数の無線基地局の試験５1〜５nを同時に実施できる。
【００４７】
また、本実施形態のネットワーク機器試験システムは、図１に示した端末局６1〜６mを試験することも可能である。その場合、上述した無線基地局５1〜５nに対する処理と同様に、拡張Ｌ２ＳＷ１は、仮ＭＡＣアドレスを持つ初期状態の端末局が無線基地局に接続された場合は、該初期状態の端末局の接続を示す接続情報を試験設定サーバ４に通知し、試験設定サーバ４は端末局に固有のＭＡＣアドレスを割り当て、割り当てたＭＡＣアドレスと固有アドレス変更指示とを端末局に送信する。端末局は、固有アドレス変更指示を受信すると、自装置のＭＡＣアドレスを試験設定サーバ４から通知された固有の値で更新すると共に、無線基地局とのリンクを切断し、再び無線基地局とリンクアップする。このようにすれば、端末局６1〜６mも無線基地局５1〜５nと同様に通信試験を実施できる。
【００４８】
なお、本実施形態のネットワーク機器試験システムでは、端末局の試験を実施する場合、上述した拡張Ｌ２ＳＷが備える、接続されたネットワーク機器の状態を試験設定サーバに通知する機能を無線基地局に備えることも可能である。すなわち、無線基地局が上記状態通知手段として動作することも可能である。また、無線基地局に複数の通信ポートを備えていれば、複数の端末局を同時に試験することも可能である。その場合、拡張Ｌ２ＳＷ１と同様に、無線基地局が端末局に対する固有のＭＡＣアドレスの付与が終了する毎に、ポートを１つずつ開けていく制御を行えば、複数の端末局に対して固有のＭＡＣアドレスを順次付与することができる。
【００４９】
さらに、本実施形態のネットワーク機器試験システムでは、試験対象のネットワーク機器に対して複数段階の試験を実施する場合、ネットワーク機器に試験段階に応じて異なるＭＡＣアドレスを付与すれば、ＭＡＣアドレスによってネットワーク機器に実施すべき試験段階を判別できる。例えば、試験設定サーバ４が、図５に示した試験終了指示を送信する処理と共に、次の試験の項目を示すＭＡＣアドレスを試験対象の無線基地局へ送信し、該無線基地局にＭＡＣアドレスを更新させればよい。その場合、試験設定サーバ４は、再びリンクアップした無線基地局の状態を示す接続情報から該無線基地局に実施すべき試験項目を判別し、対応する試験を実施するための試験準備指示を該無線基地局へ送信すればよい、
なお、本実施形態のネットワーク機器試験システムは、図１に示した無線基地局や端末局で構成される無線システムの自動試験に好適であるが、無線システムに限らず、全ての端末局や各種のネットワーク機器が、例えばイーサネット等で接続された有線システムの自動試験にも適用できる。
【００５０】
本発明によれば、拡張Ｌ２ＳＷ１あるいは無線基地局により試験対象のネットワーク機器の状態を試験設定サーバ４へ通知することで、試験設定サーバ４は、ネットワーク機器の状態に応じて、ＭＡＣアドレスの付与や該ネットワーク機器で実施する試験の準備を指示できる。したがって、各ネットワーク機器に対して固有のＭＡＣアドレスを自動で付与できると共に、ネットワーク機器の試験の開始や終了を自動的に実施できる。そのため、ネットワーク機器の試験時間が短縮してネットワーク機器のコストを低減できる。
【図面の簡単な説明】
【００５１】
【図１】本発明のネットワーク機器試験システムの一構成例を示すブロック図である。
【図２】本発明のネットワーク機器試験システムの一変形例を示すブロック図である。
【図３】本発明のネットワーク機器試験システムの一動作例を示すシーケンス図である。
【図４】背景技術のネットワーク機器試験システムの構成を示すブロック図である。
【符号の説明】
【００５２】
１    拡張Ｌ２ＳＷ
２    上位サーバ
３    管理サーバ
４    試験設定サーバ
５1〜５n    無線基地局
６1〜６m    端末局
７    ＲＦ結合器
【図１】
2010010751.tif 000003
【図２】
2010010751.tif 000004
【図３】
2010010751.tif 000005
【図４】
2010010751.tif 000006